(57)【特許請求の範囲】
【請求項１】
外部から与えられる複合同期信号をサンプリング信号によってサンプリングする第１のＤ−ＦＦと、この第１のＤ−ＦＦの出力信号と前記複合同期信号との論理和を出力する論理和ゲートと、前記サンプリング信号によって前記論理和ゲートの出力信号をサンプリングする第２のＤ−ＦＦと、前記第２のＤ−ＦＦの出力部が接続された垂直同期信号出力端子とを備え、
前記サンプリング信号が、前記複合同期信号の水平周期信号周波数を備え、かつ、この複合同期信号の水平同期信号とこの複合同期信号の等価パルスとの間の位相に同期した信号であることを特徴とする垂直同期信号分離装置。
【発明の詳細な説明】
【０００１】
【発明の属する技術分野】
この発明は、各種映像機器に使用する複合同期信号から垂直同期信号を分離する垂直同期信号分離装置に関するものである。
【０００２】
【従来の技術】
従来、映像信号処理に使用する垂直同期信号分離装置においては、フィルターを用いるもの以外については、Ｄ−ＦＦが使用されている。図３は従来の垂直同期信号分離装置である。図３において、１は複合同期信号から垂直同期信号を分離するＤ−ＦＦ、４は複合同期信号入力端子、５はタイミング信号印加端子、６は垂直同期信号出力端子である。Ｄ−ＦＦ１のＤ入力端子に入力される複合同期信号は、タイミング信号がＤ−ＦＦ１のＣＫ入力端子に印加される毎にサンプリングされる。タイミング信号（ＨＭＭ３３）でサンプリングされた複合同期信号（ＣＳＹＮＣ）すなわち垂直同期信号（ＶＳＹＮＣ）がＤ−ＦＦ１のＱ出力端子から出力される。
【０００３】
【発明が解決しようとする課題】
従来、映像信号処理に使用する垂直同期信号分離装置において、Ｄ−ＦＦ１を使用する場合に、外乱やノイズ等により、本来の垂直同期信号ではないタイミングで垂直同期信号を出力してしまうという課題があった。
すなわち図４は、従来の垂直同期分離装置の各信号波形図である。複合同期信号（ＣＳＹＮＣ）に外乱やノイズ等がない場合は時刻ｔ4 後の時刻ｔ43でのサンプリングによりＤ−ＦＦ１の出力（ＶＳＹＮＣ）が反転し、時刻ｔ6 後の時刻ｔ63でのサンプリングによりＤ−ＦＦ１の出力（ＶＳＹＮＣ）が復帰し、時刻ｔ43から時刻ｔ63までの期間、垂直同期信号出力が得られる。
【０００４】
図４において、複合同期信号（ＣＳＹＮＣ）は等価パルスの数等を一部省略して記載している。また、サンプリングタイミング信号（ＨＭＭ３３）は水平同期信号（例えば時刻ｔ2 に到来）と等価パルスの間のタイミング（例えば時刻ｔ23）に発生する信号であり、垂直同期信号分離装置が使用される映像信号処理装置においては容易に得ることができる。
【０００５】
図５は、複合同期信号に外乱やノイズが入った場合の従来の垂直同期分離装置の各部波形図である。サンプリングタイミング信号（ＨＭＭ３３）の発生タイミングであるｔ13に、たまたま外乱やノイズＮ等があると、これがサンプリングされてしまい、次のサンプリングパルス印加時刻ｔ23まで、すなわち時刻ｔ13からｔ23までの１水平期間に垂直同期信号出力として出力されるという誤作動を起こすことになる。時刻ｔ13，ｔ23，・・・近くのタイミングにノイズが印加されることは、特にＶＴＲ等の映像信号発生装置では、垂直同期信号の手前でヘッド切り替えを行っていることから、この切り替えタイミングで、通常起こり得ることである。
【０００６】
この発明は、上記従来の課題を解決するものであり、ＶＴＲのヘッド切り替え時等に、複合同期信号にノイズが印加されても、本来の垂直同期信号のみを正確にデジタル的に分離することが可能な垂直同期信号分離装置を提供することを目的とする。
【０００７】
【課題を解決するための手段】
請求項１記載の垂直同期信号分離装置は、外部から与えられる複合同期信号をサンプリング信号によってサンプリングする第１のＤ−ＦＦと、この第１のＤ−ＦＦの出力信号と前記複合同期信号との論理和を出力する論理和ゲートと、前記サンプリング信号によって前記論理和ゲートの出力信号をサンプリングする第２のＤ−ＦＦと、前記第２のＤ−ＦＦの出力部が接続された垂直同期信号出力端子とを備え、
前記サンプリング信号が、前記複合同期信号の水平周期信号周波数を備え、かつ、この複合同期信号の水平同期信号とこの複合同期信号の等価パルスとの間の位相に同期した信号であることを特徴とするものである。
【０００８】
請求項１記載の垂直同期信号分離装置によれば、ノイズ等が伝搬していない論理和ゲートの出力をサンプリングした結果を垂直同期出力信号とするので、複合同期信号のノイズに誤作動することなく、垂直同期信号を複合同期信号から分離することができ、Ｄ−ＦＦ２個と論理ゲートを備えることにより安定した垂直同期分離ができる優れた垂直同期分離装置を実現できる。
【０００９】
【発明の実施の形態】
この発明の一実施の形態を図１および図２により説明する。図１は一実施の形態の垂直同期信号分離装置の構成を示すものである。図１において、１は複合同期信号をタイミング信号でサンプリングする第１のＤ−ＦＦ（Ｄ型のフリップフロップ）、２は複合同期信号と第１のＤ−ＦＦ１の出力信号との論理和出力を、タイミング信号でサンプリングする第２のＤ−ＦＦ（Ｄ型のフリップフロップ）、３は上記の論理和出力を得るための論理和（ＯＲ）ゲート、４は複合同期信号入力端子、５はタイミング信号印加端子、６は垂直同期信号出力端子である。
【００１０】
この垂直同期信号分離装置は、複合同期信号（ＣＳＹＮＣ）をタイミング信号（ＨＭＭ３３）でサンプリングする第１のＤ−ＦＦ１と、この第１のＤ−ＦＦ１の出力と複合同期信号との論理和出力を出力する論理和ゲート３と、タイミング信号で前記論理和ゲート３の出力をサンプリングする第２のＤ−ＦＦ２とを備えている。
【００１１】
以上のように構成された一実施の形態の垂直同期信号分離装置について、図２を用いてその動作を説明する。図２においてＣＳＹＮＣは複合同期信号、１ＣＫ／２ＣＫはタイミング信号（ＨＭＭ３３）、１Ｑは第１のＤ−ＦＦ１の出力信号、２Ｄ、２Ｑは各々第２のＤ−ＦＦ２のＤ−入力端子入力信号と出力信号（ＶＳＹＮＣ）である。
【００１２】
タイミング信号が第１のＤ−ＦＦ１のクロック入力端子に印加されるタイミングの近傍でノイズＮが第１のＤ−ＦＦ１のＤ−入力端子に入力されている複合同期信号に存在していても、時刻ｔ13から時刻ｔ23までの期間第１のＤ−ＦＦ１の出力信号は反転するが、論理和ゲート３の出力すなわち第２のＤ−ＦＦ２のＤ−入力端子に入力される信号にはノイズＮが伝搬されず、第２のＤ−ＦＦ２の出力は反転しない。
【００１３】
次に時刻ｔ4で本来の垂直同期信号（複合同期信号）が入力されると時刻ｔ43で第１のＤ−ＦＦ１の出力が反転し、第２のＤ−ＦＦ２のＤ−入力端子には複合同期信号と同一信号が入力され、時刻ｔ53で第２のＤ−ＦＦ２の出力が反転される。次に第１のＤ−ＦＦ１、第２のＤ−ＦＦ２の出力は各々時刻ｔ63，ｔ73で元へ復帰する。したがって、複合同期信号中の垂直同期信号の幅に相当する期間第２のＤ−ＦＦ２の出力信号として垂直同期信号を分離することができる。
【００１４】
以上ように、この実施の形態によれば、複合同期信号をタイミング信号でサンプリングする第１のＤ−ＦＦ１と、第１のＤ−ＦＦ１の出力と前記複合信号との論理和出力を出力する論理和ゲート３と、タイミング信号で論理和ゲート３の出力をサンプリングする第２のＤ−ＦＦ２とを備えたことにより、複合同期信号からノイズによる誤作動をすることなく垂直同期信号を分離することができる。
【００１５】
【発明の効果】
請求項１記載の垂直同期信号分離装置によれば、ノイズ等が伝搬していない論理和ゲートの出力をサンプリングした結果を垂直同期出力信号とするので、複合同期信号のノイズに誤作動することなく、垂直同期信号を複合同期信号から分離することができ、Ｄ−ＦＦ２個と論理ゲートを備えることにより安定した垂直同期分離ができる優れた垂直同期分離装置を実現できる。
【図面の簡単な説明】
【図１】この発明の一実施の形態における垂直同期分離装置の回路構成図である。
【図２】図１の動作を説明するタイムチャートである。
【図３】従来の垂直同期分離装置の回路構成図である。
【図４】図３の動作を説明するタイムチャートである。
【図５】ノイズが侵入した場合の図３の動作を説明するタイムチャートである。
【符号の説明】
１      第１のＤ−ＦＦ
２      第２のＤ−ＦＦ
３      論理和ゲート
４      複合同期信号入力端子
５      タイミング信号印加端子
６      垂直同期信号出力端子
【図１】
0003540171.tif 000002
【図２】
0003540171.tif 000003
【図３】
0003540171.tif 000004
【図４】
0003540171.tif 000005
【図５】
0003540171.tif 000006